(57)【要約】      （修正有） 【課題】  電源を切ることなく、既設の回路に電源を割り込ませることのできる端子台を提供する。【解決手段】  端子台１は、第1の配線端子２と第2の配線端子３を導電体５によって接続した対端子４を複数列備えている。上記対端子４を構成する第1の配線端子２と第2の配線端子３間に、これら第1の配線端子２と第2の配線端子３を接続している導電体５に渡り線７を接続する複数のコネクタ８を設けたことにより、対端子４の数を増やすことなく、大型化することもなく、しかも電源を切ることもなく既設の回路に電源を割り込ませることのできる端子台1を提供する。【選択図】  図４
2008016305.tif 000002
【特許請求の範囲】
【請求項１】
第1の配線端子と第2の配線端子を導電体によって接続した対端子を複数列設けた端子台であって、
上記対端子を構成する第1の配線端子と第2の配線端子間に、これら第1の配線端子と第2の配線端子を接続している導電体に渡り線の端部を接続するコネクタを設けたことを特徴とする端子台。
【請求項２】
請求項１において、
上記コネクタは、上記導電体上に上記渡り線の端部を挿入することにより該端部を上記導電体に接触させる渡り線挿入部を備えていることを特徴とする端子台。
【請求項３】
請求項２において、
上記渡り線挿入部は、複数個設けられていることを特徴とする端子台。
【請求項４】
請求項２において、
上記渡り線は、両端部に上記渡り線挿入部に挿入する差込部を備えていることを特徴とする端子台。
【発明の詳細な説明】
【技術分野】
【０００１】
本発明は、配電盤や制御盤等に使用される端子台に関し、特に電源を切らずに既設の回路に電源を割り込ませることができるようにしたものである。
【背景技術】
【０００２】
端子台として、例えば図６、図7に示すように、盤内機器側に接続する第1の配線端子１０１と盤外機器側に接続する第2の配線端子１０２を導電体１０３で接続した対端子１０４を複数列設けたものが知られている。上記第1，第2の配線端子１０１，１０２への配線１０５の接続は、ビス１０６によって行われている。１０７は上記第1，第2の配線端子１０１，１０２間を仕切る絶縁体である。
【０００３】
上述のような端子台にあって、既設の電源に新たな配線を割り込ませる場合に、上記ビス１０６を外してからでないと結線できず、このため電源が途切れてしまう。また、活線作業になってしまうために電源を落とさなければならないという欠点があった。
【０００４】
そこで、図８に示すように、盤内機器と盤外機器とで送受する電気信号を伝達する配線用の端子群２０２，２０３を有する端子台２０１において、取付板２０４上に配線空間２０５を介して取付けられた盤内機器のための第1の端子台２０６と、盤外機器のための第２の端子台２０７とから構成されていて、これら複列の第1，第2の端子台２０６，２０７の端子群２０２，２０３を利用して、上記配線空間２０５にて電気信号のメッセージ交換電線２０８を設けることにより、盤内配線の簡素化や配線作業の単純化を図ったものが開発されている。（特許文献１）
【特許文献１】特開平１１−１４４７８４号公報（段落０００７、段落００１２〜段落００１４等）
【発明の開示】
【発明が解決しようとする課題】
【０００５】
ところで、上記従来の端子台２０１は、上述したように、取付板２０４上に配線空間２０５を介して盤内機器のための第1の端子台２０６と、盤外機器のための第２の端子台２０７を取付け、これら第1，第2の端子台２０６，２０７の端子群２０２，２０３を利用して、上記配線空間２０５にて電気信号のメッセージ交換電線２０８を取付けるという構成になっているために４列の端子群を必要とし端子の数が多くなると共に、配線空間２０５という広いスペースを必要とするために端子台２０１が大型になるという問題点があった。
【０００６】
本発明の目的は、上記従来の問題点を解決し、端子の数を増やすことなく、大型にすることなく、しかも電源を切ることなく、既設の回路に電源を割り込ませることのできる端子台を提供することにある。
【課題を解決するための手段】
【０００７】
請求項１の発明は、第1の配線端子と第2の配線端子を導電体によって接続した対端子を複数列設けた端子台であって、
上記対端子を構成する第1の配線端子と第2の配線端子間に、これら第1の配線端子と第2の配線端子を接続している導電体に渡り線の端部を接続するコネクタを設けた。
【０００８】
請求項２の発明は、請求項１に記載の端子台において、
上記コネクタに、上記導電体上に上記渡り線の端部を挿入することにより該端部を上記導電体に接触させる渡り線挿入部を設けた。
【０００９】
請求項３の発明は、請求項２に記載の端子台において、
上記渡り線挿入部を、複数個設けた。
【００１０】
請求項４の発明は、請求項２に記載の端子台において、
上記渡り線に、両端部に上記渡り線挿入部に挿入する差込部を設けた。
【発明の効果】
【００１１】
（１）請求項１の端子台は、新たな配線を未使用の対端子に接続した後に、該未使用の対端子のコネクタに渡り線の一端部を接続し、渡り線の他端部を既に配線使用されている対端子のコネクタに接続することにより電源を切ることなく安全に電源線を割り込ませることができる。
（２）請求項２の端子台は、上記コネクタの渡り線挿入部に上記渡り線の端部を挿入することによりコネクタと渡り線を接続することができる。
（３）請求項３の端子台は、上記コネクタに複数の渡り線挿入部を設けたので、複数の渡り線を接続することができる。
（４）請求項４の端子台は、渡り線の端部に設けた差込部を上記コネクタの渡り線挿入部に挿し込むことにより渡り線の端部を導電体に接触させることができる。
【発明を実施するための最良の形態】
【００１２】
図１は端子台の平面図、図2は図１のＡ−Ａ断面図、図３は渡り線の側面図、図４は渡り線を取付けた状態の端子台の平面図、図５は図４のＢ−Ｂ断面図である。
【００１３】
図１、図2に示すように、端子台１は、盤内機器側の第1の配線端子２と、盤外機器側の第２の配線端子３とからなる対端子４を複数列備えている。
【００１４】
上記対端子４を構成する第1の配線端子２と第2の配線端子３は、導電体５を介して接続されていて、これら第1，第2の配線端子２，３にはビス６で配線が接続されるようになっている。
【００１５】
上記第1の配線端子２と第2の配線端子３の間には上記導電体５の表面を覆うように、後述する渡り線７を接続するコネクタ８が配置されている。
【００１６】
上記コネクタ８は、上記対端子４を構成する第1の配線端子２と第2の配線端子３の間に第1，第2の渡り線挿入部９，１０を備えている。上記コネクタ８は、電気絶縁性を有する合成樹脂製の細長い板材によって形成されていると共に、上記第1，第2の渡り線挿入部９，１０は、上記板材に平面視四角形の貫通孔を設けることにより形成されている。
【００１７】
上記第1，第2の渡り線挿入部９，１０は、図３に示す渡り線７の端部の差込部７ｃを挿入することにより該差込部７ｃの下端を上記導電体５に接触させるようになっている。
【００１８】
図３に示すように、上記渡り線７は、略Ｕ字状に形成された渡り線本体部７ａの両端部に接続部７ｂを介して差込部７ｃを設けることにより形成されている。上記差込部７ｃは、略四角柱状に形成されていて上記渡り線挿入部９，１０に嵌合することにより、下端が上記導電体５に接触するようになっている。
【００１９】
次に、上記端子台１の作用について説明する。図4、図５は、既存の第1の配線２１に新設の第２，第３の配線２２，２３を接続する場合を示す。先ず、既存の第1の配線２１に隣接する対端子４を構成する第1の配線端子２と第2の配線端子３に新設する第２の配線２２を接続する。次に、上記既存の第1の配線２１を接続した第1の配線端子２と第2の配線端子３の間に設けたコネクタ８の第2の渡り線挿入部１０に上記渡り線７の一端の差込部７ｃを挿入すると共に、上記渡り線７の他端の差込部７ｃを上記新設する第２の配線２２を接続した第1の配線端子２と第2の配線端子３の間に設けたコネクタ８の第2の渡り線挿入部１０に挿入する。これにより既存の第1の配線２１に新設の第2の配線２２を電源を切ることなく安全に割り込ませることができる。また、上記第2の配線２２に隣接する対端子４を構成する第1の配線端子２と第2の配線端子３に新設する第３の配線２３を接続した後に、上記第２の配線２１を接続した第1の配線端子２と第2の配線端子３の間に設けたコネクタ８の第１の渡り線挿入部９に上記渡り線７の一端の差込部７ｃを挿入すると共に、上記渡り線７の他端の差込部７ｃを上記新設する第３の配線２３を接続した第1の配線端子２と第2の配線端子３の間に設けたコネクタ８の第１の渡り線挿入部９に挿入する。これにより第３の配線２３も電源を切ることなく安全に割り込ませることができるのである。なお、図面に示す実施例において、渡り線７の両端の差込部７ｃを隣接するコネクタ８の渡り線挿入部に挿入する場合を示したが、渡り線７は、隣接するコネクタを飛び越して他のコネクタに接続するものでなくてもよい。
【図面の簡単な説明】
【００２０】
【図１】端子台の平面図。
【図２】図2は図１のＡ−Ａ断面図。
【図３】渡り線の側面図。
【図４】渡り線を取付けた状態の端子台の平面図。
【図５】図４のＢ−Ｂ断面図。
【図６】従来例の平面図。
【図７】図６のＣ−Ｃ断面図。
【図８】他の従来例の平面図。
【符号の説明】
【００２１】
１…端子台
２…第1の配線端子
３…第２の配線端子
４…対端子
５…導電体
６…ビス
７…渡り線
７ｃ…差込部
８…コネクタ
９…第１の渡り線挿入部
１０…第2の渡り線挿入部
【図１】
2008016305.tif 000003
【図２】
2008016305.tif 000004
【図３】
2008016305.tif 000005
【図４】
2008016305.tif 000006
【図５】
2008016305.tif 000007
【図６】
2008016305.tif 000008
【図７】
2008016305.tif 000009
【図８】
2008016305.tif 000010